(57)【要約】【課題】三相三脚巻鉄心構造を有するアモルファス巻鉄心のうち、外鉄心においてのラップ方法を変更し鉄心の磁気特性を改善させ、またラップ作業工数を低減する。【解決手段】鎖交するコイル１に挿入された脚部の一方同士が隣接して配置された２個の内鉄心２と、これらの内鉄心２の外周を囲む外鉄心３とからなる三相三脚巻鉄心構造を有し、巻鉄心は、一対の脚部と一対のヨーク部とこれらの脚部及びヨーク部に囲まれた窓部とを有するようアモルファス磁性薄帯を積層して矩形に形成されたアモルファス巻鉄心変圧器において、外鉄心３は、ラップ接合部をヨーク部の直線部分全域に有する。【選択図】図３
2011071565.tif 000002
【特許請求の範囲】
【請求項１】
鎖交するコイルに挿入された脚部の一方同士が隣接して配置された２個の内鉄心と、これらの内鉄心の外周を囲む外鉄心とからなる三相三脚巻鉄心構造を有し、該巻鉄心は、一対の脚部と一対のヨーク部とこれらの脚部及びヨーク部に囲まれた窓部とを有するようアモルファス磁性薄帯を積層して矩形に形成されたアモルファス巻鉄心変圧器において、
前記外鉄心は、ラップ接合部をヨーク部の直線部分全域に有することを特徴とするアモルファス巻鉄心変圧器。
【請求項２】
請求項１記載のアモルファス巻鉄心変圧器において、
上記外鉄心は、１ユニットからなるアモルファス磁性薄帯により形成されることを特徴とするアモルファス巻鉄心変圧器。
【請求項３】
請求項１記載のアモルファス巻鉄心変圧器において、
上記外鉄心のラップ接合部は、内鉄心のラップ接合部に接することを特徴とするアモルファス巻鉄心変圧器。
【請求項４】
請求項１〜３のいずれか１項に記載のアモルファス巻鉄心変圧器において、
上記外鉄心のラップ接合部は、ステップラップ接合又はオーバーラップ接合により形成されることを特徴とするアモルファス巻鉄心変圧器。
【発明の詳細な説明】
【技術分野】
【０００１】
本発明は、アモルファス巻鉄心変圧器に関わり、アモルファス磁性薄帯を用いた巻鉄心（本明細書では「アモルファス巻鉄心」という）を有する巻鉄心変圧器に関するものである。
【背景技術】
【０００２】
三相三脚巻鉄心構造を有するアモルファス巻鉄心は、積層されたアモルファス磁性薄帯をコイルに巻回し、その両端をラップさせて製作される。そのように製作された三相三脚巻鉄心構造のアモルファス巻鉄心が知られている。
【０００３】
アモルファス巻鉄心は積層したアモルファス磁性薄帯をコイルに巻回し、その両端を突き合わせ又は重ね合わせてラップして製作される。これによりできるラップ接合部では磁束の流れが乱され鉄心の磁気特性が悪化する傾向がある。よってできるだけラップ接合部においての磁束の流れをスムーズにし鉄心の磁気特性を改善できるラップ方法が必要である。従来の三相三脚巻鉄心構造の巻鉄心のうち外鉄心においてのラップ方法は、ラップ接合部が外鉄心ヨーク部の中央付近に集中していることから、磁束の流れを乱す可能性があった。そのため、ラップ接合部を工夫することが提案されている（特許文献１、２参照）。
【先行技術文献】
【特許文献】
【０００４】
【特許文献１】特開平７−８６０５２号公報
【特許文献２】特開平７−２４９５３７号公報
【発明の概要】
【発明が解決しようとする課題】
【０００５】
そこで本発明は、アモルファス巻鉄心のうち外鉄心において、鉄心の磁気特性が悪化しないようなラップ方法を用いた三相三脚巻鉄心構造のアモルファス巻鉄心変圧器を提供することにある。
【課題を解決するための手段】
【０００６】
上記課題点を解決するために、本発明では三相三脚巻鉄心構造のアモルファス巻鉄心のうち外鉄心においてのラップ接合部を外鉄心ヨーク直線部の全域に広げ分散させることにより磁束の流れを改善させることにある。
【０００７】
すなわち、本発明は、鎖交するコイルに挿入された脚部の一方同士が隣接して配置された２個の内鉄心と、これらの内鉄心の外周を囲む外鉄心とからなる三相三脚巻鉄心構造を有し、該巻鉄心は、一対の脚部と一対のヨーク部とこれらの脚部及びヨーク部に囲まれた窓部とを有するようアモルファス磁性薄帯を積層して矩形に形成されたアモルファス巻鉄心変圧器において、前記外鉄心は、ラップ接合部をヨーク部の直線部分全域に有するアモルファス巻鉄心変圧器である。
【０００８】
また、本発明は、上記外鉄心は、１ユニットからなるアモルファス磁性薄帯により形成されるアモルファス巻鉄心変圧器である。
【０００９】
そして、本発明は、上記外鉄心のラップ接合部は、内鉄心のラップ接合部に接するアモルファス巻鉄心変圧器である。
【００１０】
更に、本発明は、上記外鉄心のラップ接合部は、ステップラップ接合又はオーバーラップ接合により形成されるアモルファス巻鉄心変圧器である。
【発明の効果】
【００１１】
本発明によれば、アモルファス巻鉄心において三相三脚巻鉄心の外鉄心においてラップ方法を外鉄心ヨーク直線部の全域に分散させることにより、鉄心の磁気特性を改善させ、またラップ作業工数を低減することができる。
【図面の簡単な説明】
【００１２】
【図１】三相三脚巻鉄心構造の正面説明図。
【図２】従来例の三相三脚巻鉄心構造における外鉄心ラップ方法の説明図。
【図３】実施例１の三相三脚巻鉄心構造における外鉄心ラップ方法の説明図。
【図４】実施例２の三相三脚巻鉄心構造における外鉄心ラップ方法の説明図。
【図５】実施例３の三相三脚巻鉄心構造における外鉄心ラップ方法の説明図。
【図６】ステップラップ接合の詳細説明図。
【図７】オーバーラップ接合の詳細説明図。
【発明を実施するための形態】
【００１３】
本発明を実施するための最良の形態を説明する。
以下、本発明のアモルファス巻鉄心変圧器の実施例について、図面を用いて説明する。図１は、三相三脚巻鉄心構造の正面説明図である。図２は、従来例の三相三脚巻鉄心構造における外鉄心ラップ方法の説明図である。図３は、実施例１の三相三脚巻鉄心構造における外鉄心ラップ方法の説明図である。図４は、実施例２の三相三脚巻鉄心構造における外鉄心ラップ方法の説明図である。図５は、実施例３の三相三脚巻鉄心構造における外鉄心ラップ方法の説明図である。図６は、ステップラップ接合の詳細説明図である。図７は、オーバーラップ接合の詳細説明図である。
【実施例１】
【００１４】
実施例１を説明する。図１は、三相三脚巻鉄心構造においての巻鉄心とコイルの組立図である。図１の巻鉄心のうち外鉄心３ａにおいてのラップ方法は、図２の従来のラップ方法の例に示すように、ラップ接合部５ａが外鉄心ヨーク部の中央付近に集中しており、ラップ接合部５ａから発生する磁束の漏れが周囲の磁束の流れを乱している可能性がある。そこで本発明では、図３に示す実施例のように外鉄心３ｂのヨーク直線部の全域にラップ接合部５ｂを分散させるラップ方法により外鉄心３ｂを形成することで、磁束の漏れが分散され、磁束の流れをスムーズにし鉄心の磁気特性を改善するものである。またラップ接合部をヨーク直線部全域に分散させることに伴い１ユニット中のアモルファス磁性薄帯のブロック数が多くなり、ラップ回数が少なくて済み作業工数が低減される。
【実施例２】
【００１５】
実施例２を説明する。本実施例においては、図４に示すように、外鉄心３ｃがヨーク直線部の全域にラップ接合部５ｃを分散させるラップ方法であり、且つ１ユニットのアモルファス磁性薄帯のみで形成される巻鉄心である。この場合、１ユニットのみのアモルファス磁性薄帯のみで形成されているためラップ回数が１回で済む。よって、鉄心の磁気特性を改善できると同時に大幅なラップ作業工数を低減することができる。
【実施例３】
【００１６】
実施例３を説明する。本実施例においては、図５に示すように、外鉄心３ｄのラップ接合部が内鉄心２の下部で押えられる構造であり、且つ外鉄心３ｄのラップ接合部５ｄをヨーク直線部の全域まで広げたラップ方法により形成されているものである。従来の場合、ラップ接合部はヨーク部の中央に位置し、三相三脚巻鉄心構造により形成される三角窓６の下部となるため、外鉄心のラップ接合部はこの三角窓６の隙間により不安定で撓みが発生する原因となり磁気特性にも悪影響を及ぼしていた。よってラップ接合部５ｄを２つの内鉄心２の下部の位置とすることで、ラップ接合部５ｄが内鉄心２で押さえられ安定した状態となる。また同時に外鉄心３ｄのラップ接合部５ｄをヨーク直線部の全域まで広げることにより磁気特性が改善できる。
【００１７】
また、これらの実施例においてのラップ接合方法の例としては図６に示すようなアモルファス磁性薄帯を突合せにより接合させるステップラップ接合、または図７に示すようなアモルファス磁性薄帯の接合部に重なりを持たせたオーバーラップ接合等が上げられる。ステップラップ接合の場合、磁束の流れ７ａはアモルファス磁性薄帯の突合せ部で一度隣接するブロックに移行し、再び元のブロックに戻るような流れとなり、オーバーラップ接合の場合は磁束の流れ７ｂが他のブロックに移行せずに自己のブロック内のみの流れとなることから、オーバーラップ接合とした時の磁束の流れはステップラップ接合時よりもスムーズとなり磁気特性も良好となる。
【符号の説明】
【００１８】
１  コイル
２  内鉄心
３ａ、３ｂ、３ｃ、３ｄ  外鉄心
４  外鉄心ヨーク直線部
５ａ、５ｂ、５ｃ、５ｄ  ラップ接合部
６  三角窓
７ａ、７ｂ  磁束の流れ
【図１】
2011071565.tif 000003
【図２】
2011071565.tif 000004
【図３】
2011071565.tif 000005
【図４】
2011071565.tif 000006
【図５】
2011071565.tif 000007
【図６】
2011071565.tif 000008
【図７】
2011071565.tif 000009
【手続補正書】
【提出日】平成23年1月14日(2011.1.14)
【手続補正１】
【補正対象書類名】明細書
【補正対象項目名】全文
【補正方法】変更
【補正の内容】
【発明の詳細な説明】
【技術分野】
【０００１】
本発明は、アモルファス巻鉄心変圧器に関わり、アモルファス磁性薄帯を用いた巻鉄心（本明細書では「アモルファス巻鉄心」という）を有する巻鉄心変圧器に関するものである。
【背景技術】
【０００２】
三相三脚巻鉄心構造を有するアモルファス巻鉄心は、積層されたアモルファス磁性薄帯をコイルに巻回し、その両端をラップさせて製作される。そのように製作された三相三脚巻鉄心構造のアモルファス巻鉄心が知られている。
【０００３】
アモルファス巻鉄心は積層したアモルファス磁性薄帯をコイルに巻回し、その両端を突き合わせ又は重ね合わせてラップして製作される。これによりできるラップ接合部では磁束の流れが乱され鉄心の磁気特性が悪化する傾向がある。よってできるだけラップ接合部においての磁束の流れをスムーズにし鉄心の磁気特性を改善できるラップ方法が必要である。従来の三相三脚巻鉄心構造の巻鉄心のうち外鉄心においてのラップ方法は、ラップ接合部が外鉄心ヨーク部の中央付近に集中していることから、磁束の流れを乱す可能性があった。そのため、ラップ接合部を工夫することが提案されている（特許文献１、２参照）。
【先行技術文献】
【特許文献】
【０００４】
【特許文献１】特開平７−８６０５２号公報
【特許文献２】特開平７−２４９５３７号公報
【発明の概要】
【発明が解決しようとする課題】
【０００５】
そこで本発明は、アモルファス巻鉄心のうち外鉄心において、鉄心の磁気特性が悪化しないようなラップ方法を用いた三相三脚巻鉄心構造のアモルファス巻鉄心変圧器を提供することにある。
【課題を解決するための手段】
【０００６】
上記課題点を解決するために、本発明では三相三脚巻鉄心構造のアモルファス巻鉄心のうち外鉄心においてのラップ接合部を外鉄心ヨーク直線部の全域に広げ分散させることにより磁束の流れを改善させることにある。
【０００７】
すなわち、本発明は、鎖交するコイルに挿入された脚部の一方同士が隣接して配置された２個の内鉄心と、これらの内鉄心の外周を囲む外鉄心とからなる三相三脚巻鉄心構造を有し、該巻鉄心は、一対の脚部と一対のヨーク部とこれらの脚部及びヨーク部に囲まれた窓部とを有するようアモルファス磁性薄帯を積層して矩形に形成されたアモルファス巻鉄心変圧器において、前記外鉄心は、ラップ接合部をヨーク部の直線部分全域に有し、かつ、該外鉄心のラップ接合部を前記内鉄心のラップ接合部に接するように構成したアモルファス巻鉄心変圧器である。
【０００８】
また、本発明は、上記外鉄心は、１ユニットからなるアモルファス磁性薄帯により形成されるアモルファス巻鉄心変圧器である。
【０００９】
そして、本発明は、上記外鉄心のラップ接合部は、内鉄心のラップ接合部に接するアモルファス巻鉄心変圧器である。
【００１０】
更に、本発明は、上記外鉄心のラップ接合部は、ステップラップ接合又はオーバーラップ接合により形成されるアモルファス巻鉄心変圧器である。
【発明の効果】
【００１１】
本発明によれば、アモルファス巻鉄心において三相三脚巻鉄心の外鉄心においてラップ方法を外鉄心ヨーク直線部の全域に分散させることにより、鉄心の磁気特性を改善させ、またラップ作業工数を低減することができる。
【図面の簡単な説明】
【００１２】
【図１】三相三脚巻鉄心構造の正面説明図。
【図２】従来例の三相三脚巻鉄心構造における外鉄心ラップ方法の説明図。
【図３】実施例１の三相三脚巻鉄心構造における外鉄心ラップ方法の説明図。
【図４】実施例２の三相三脚巻鉄心構造における外鉄心ラップ方法の説明図。
【図５】三相三脚巻鉄心構造における外鉄心ラップ方法の参考例としての説明図。
【図６】ステップラップ接合の詳細説明図。
【図７】オーバーラップ接合の詳細説明図。
【発明を実施するための形態】
【００１３】
本発明を実施するための最良の形態を説明する。
以下、本発明のアモルファス巻鉄心変圧器の実施例及び参考例について、図面を用いて説明する。図１は、三相三脚巻鉄心構造の正面説明図である。図２は、従来例の三相三脚巻鉄心構造における外鉄心ラップ方法の説明図である。図３は、実施例１の三相三脚巻鉄心構造における外鉄心ラップ方法の説明図である。図４は、実施例２の三相三脚巻鉄心構造における外鉄心ラップ方法の説明図である。図５は、参考例としての三相三脚巻鉄心構造における外鉄心ラップ方法の説明図である。図６は、ステップラップ接合の詳細説明図である。図７は、オーバーラップ接合の詳細説明図である。
【実施例１】
【００１４】
実施例１を説明する。図１は、三相三脚巻鉄心構造においての巻鉄心とコイルの組立図である。図１の巻鉄心のうち外鉄心３ａにおいてのラップ方法は、図２の従来のラップ方法の例に示すように、ラップ接合部５ａが外鉄心ヨーク部の中央付近に集中しており、ラップ接合部５ａから発生する磁束の漏れが周囲の磁束の流れを乱している可能性がある。そこで本発明では、図３に示す実施例のように外鉄心３ｂのヨーク直線部の全域にラップ接合部５ｂを分散させるラップ方法により外鉄心３ｂを形成することで、磁束の漏れが分散され、磁束の流れをスムーズにし鉄心の磁気特性を改善するものである。またラップ接合部をヨーク直線部全域に分散させることに伴い１ユニット中のアモルファス磁性薄帯のブロック数が多くなり、ラップ回数が少なくて済み作業工数が低減される。
【実施例２】
【００１５】
実施例２を説明する。本実施例においては、図４に示すように、外鉄心３ｃがヨーク直線部の全域にラップ接合部５ｃを分散させるラップ方法であり、且つ１ユニットのアモルファス磁性薄帯のみで形成される巻鉄心である。この場合、１ユニットのみのアモルファス磁性薄帯のみで形成されているためラップ回数が１回で済む。よって、鉄心の磁気特性を改善できると同時に大幅なラップ作業工数を低減することができる。
【００１６】
［参考例］
参考例を説明する。本参考例においては、図５に示すように、外鉄心３ｄのラップ接合部が内鉄心２の下部で押えられる構造であり、且つ外鉄心３ｄのラップ接合部５ｄをヨーク直線部の全域まで広げたラップ方法により形成されているものである。従来の場合、ラップ接合部はヨーク部の中央に位置し、三相三脚巻鉄心構造により形成される三角窓６の下部となるため、外鉄心のラップ接合部はこの三角窓６の隙間により不安定で撓みが発生する原因となり磁気特性にも悪影響を及ぼしていた。よってラップ接合部５ｄを２つの内鉄心２の下部の位置とすることで、ラップ接合部５ｄが内鉄心２で押さえられ安定した状態となる。また同時に外鉄心３ｄのラップ接合部５ｄをヨーク直線部の全域まで広げることにより磁気特性が改善できる。
【００１７】
また、これらの実施例においてのラップ接合方法の例としては図６に示すようなアモルファス磁性薄帯を突合せにより接合させるステップラップ接合、または図７に示すようなアモルファス磁性薄帯の接合部に重なりを持たせたオーバーラップ接合等が上げられる。ステップラップ接合の場合、磁束の流れ７ａはアモルファス磁性薄帯の突合せ部で一度隣接するブロックに移行し、再び元のブロックに戻るような流れとなり、オーバーラップ接合の場合は磁束の流れ７ｂが他のブロックに移行せずに自己のブロック内のみの流れとなることから、オーバーラップ接合とした時の磁束の流れはステップラップ接合時よりもスムーズとなり磁気特性も良好となる。
【符号の説明】
【００１８】
１  コイル
２  内鉄心
３ａ、３ｂ、３ｃ、３ｄ  外鉄心
４  外鉄心ヨーク直線部
５ａ、５ｂ、５ｃ、５ｄ  ラップ接合部
６  三角窓
７ａ、７ｂ  磁束の流れ
【手続補正２】
【補正対象書類名】特許請求の範囲
【補正対象項目名】全文
【補正方法】変更
【補正の内容】
【特許請求の範囲】
【請求項１】
鎖交するコイルに挿入された脚部の一方同士が隣接して配置された２個の内鉄心と、これらの内鉄心の外周を囲む外鉄心とからなる三相三脚巻鉄心構造を有し、
該巻鉄心は、一対の脚部と一対のヨーク部とこれらの脚部及びヨーク部に囲まれた窓部とを有するようアモルファス磁性薄帯を積層して矩形に形成されたアモルファス巻鉄心変圧器において、
前記外鉄心は、ラップ接合部をヨーク部の直線部分全域に有し、かつ、該外鉄心のラップ接合部を前記内鉄心のラップ接合部に接するように構成したことを特徴とするアモルファス巻鉄心変圧器。
【請求項２】
請求項１記載のアモルファス巻鉄心変圧器において、
上記外鉄心は、１ユニットからなるアモルファス磁性薄帯により形成されることを特徴とするアモルファス巻鉄心変圧器。
【請求項３】
請求項１又は２に記載のアモルファス巻鉄心変圧器において、
上記外鉄心のラップ接合部は、ステップラップ接合又はオーバーラップ接合により形成されることを特徴とするアモルファス巻鉄心変圧器。